(57)【特許請求の範囲】
【請求項１】
ボディと、
前記ボディに設けられ、異なるレンズマウントをもつ２種類以上のレンズに接続可能な２種類以上の接点群と
を備えたカメラ。
【請求項２】
前記２種類以上の接点群は、光軸に対して径方向の異なる位置に配置されている
請求項１記載のカメラ。
【請求項３】
前記２種類以上の接点群は、光軸方向の異なる位置に配置されている
請求項１または２記載のカメラ。
【請求項４】
前記２種類以上の接点群は、前記ボディに対する機械的な嵌め合い形状の異なるレンズマウントをもつ前記２種類以上のレンズに接続可能である
請求項１ないし３のいずれか１項に記載のカメラ。
【請求項５】
前記２種類以上の接点群は、嵌め合い口径の異なるレンズマウントをもつ前記２種類以上のレンズに接続可能である
請求項４記載のカメラ。
【請求項６】
前記２種類以上の接点群は、フランジバックの異なるレンズマウントをもつ前記２種類以上のレンズに接続可能である
請求項１ないし５のいずれか１項に記載のカメラ。
【請求項７】
前記２種類以上の接点群のうちの１種類は、ＰＬマウントに適合するレンズマウントをもつレンズに接続可能である
請求項６記載のカメラ。
【請求項８】
前記２種類以上の接点群のうちの１種類は、フランジバックが５２ｍｍのボディマウントに適合するレンズマウントをもつレンズに接続可能である
請求項６または７記載のカメラ。
【請求項９】
前記２種類以上の接点群のうちの２種類は、フランジバックの異なるレンズマウントをもつ２種類のレンズに接続可能であり、前記２種類のレンズにおけるフランジバックの差は１２ｍｍ以下である
請求項６ないし８のいずれか１項に記載のカメラ。
【請求項１０】
前記２種類以上の接点群は、光軸を中心として周方向に回転した位置に配置されている
請求項１ないし９のいずれか１項に記載のカメラ。
【請求項１１】
前記２種類以上の接点群は、第１接点群と、第２接点群とを含み、
前記第１接点群は、光軸を中心とした周方向において上方および右方に配置されており、前記第２接点群は、光軸を中心とした周方向において上方に配置されている
請求項１０記載のカメラ。
【請求項１２】
前記２種類以上の接点群は、第１接点群と、第２接点群とを含み、
前記第１接点群は、光軸を中心とした周方向において上方および右方に配置されており、前記第２接点群は、光軸を中心とした周方向において下方に配置されている
請求項１０記載のカメラ。
【請求項１３】
前記２種類以上の接点群は、第１接点群と、第２接点群とを含み、
前記第１接点群は、光軸を中心とした周方向において左方に配置されており、前記第２接点群は、光軸を中心とした周方向において下方に配置されている
請求項１０記載のカメラ。
【請求項１４】
前記２種類以上の接点群は、第１接点群と、第２接点群とを含み、
前記第１接点群は、光軸を中心とした周方向において左方に配置されており、前記第２接点群は、光軸を中心とした周方向において上方に配置されている
請求項１０記載のカメラ。
【請求項１５】
前記ボディは、一面にボディマウントを有し、
前記２種類以上の接点群は、前記ボディマウントと同じ面に設けられている
請求項１ないし１４のいずれか１項に記載のカメラ。
【請求項１６】
前記２種類以上の接点群は、前記ボディ内部で異なるグランド、異なる電源および異なる配線に接続されている
請求項１ないし１５のいずれか１項に記載のカメラ。
【請求項１７】
前記２種類以上の接点群は、前記ボディ内部でグランド、電源および配線の少なくとも一つを共有している
請求項１ないし１５のいずれか１項に記載のカメラ。
【請求項１８】
ボディと、
前記ボディに設けられ、異なるレンズマウントをもつ２種類以上のレンズに各々接続可能な２種類以上の接点群と
を備えたカメラに装着可能である
アダプタ。
【請求項１９】
内周側に開口を有し、
前記カメラに装着された状態で、前記２種類以上の接点群のうちの少なくとも１種類を前記開口から露出させる
請求項１８記載のアダプタ。
【発明の詳細な説明】
【技術分野】
【０００１】
本開示は、レンズ交換式のカメラ、およびこのカメラに用いられるアダプタに関する。
【背景技術】
【０００２】
レンズ交換可能なカメラでは、ボディにはボディマウント、レンズにはレンズマウントと呼ばれる開口がそれぞれ設けられており、両者の結合によりレンズをボディに装着する。ボディマウントおよびレンズマウントは各々固有の口径およびフランジバックを有している。あるボディのボディマウントには、基本的には、それに適合するレンズマウントをもつレンズが装着されるようになっている。【０００３】
一方、そのボディのボディマウントに適合するレンズマウントとは異なるレンズマウントをもつレンズをボディに接続したい場合には、アダプタを介してレンズをボディに装着させる。アダプタは、口径の異なるボディマウントとレンズマウントとの結合形状の変換を行うと共に、レンズとボディとの通信のための接点群についても変換を行うものである。そのため、アダプタは、例えば後面にボディの接点群と接する第１接点群を有し、前面にレンズの接点群と接する第２接点群を有している。アダプタの内部には配線などを通して、第１接点群と第２接点群とを電気的に接続するようにしている（例えば、特許文献１参照。）。
【先行技術文献】
【特許文献】
【０００４】
【特許文献１】特開２０１３−８０５９号公報
【発明の概要】
【０００５】
しかしながら、アダプタに接点群を設け、アダプタ内部に配線などを通すためには、アダプタの光軸方向の厚みをある程度大きくすることが望ましく、アダプタの薄型化には限界があった。すなわち、アダプタを薄型化しながらレンズとボディとの接点群の変換を行うことは難しかった。
【０００６】
従って、アダプタを薄型化しながらレンズとボディとの接点群の変換を行うことが可能なカメラ、およびこのカメラに用いられるアダプタを提供することが望ましい。
【０００７】
本開示の一実施の形態によるカメラは、ボディと、ボディに設けられ、異なるレンズマウントをもつ２種類以上のレンズに接続可能な２種類以上の接点群とを備えたものである。
【０００８】
ここに、２種類以上のレンズが異なるレンズマウントをもつとは、ボディに対する機械的な嵌め合い形状、具体的には嵌め合い口径が異なるレンズマウントをもつこと、または、フランジバックが異なるレンズマウントをもつことをいう。
【０００９】
二つの接点群の種類が異なるとは、その二つの接点群に接続可能なレンズが異なることをいう。例えば、ボディの離れた場所に二つの接点群が配置されていた場合に、その二つの接点群が別のレンズに接続可能なときには、その二つの接点群は２種類として数えられる。一方、その二つの接点群が同じレンズに接続可能なときには、その二つの接点群は１種類として数えられる。
【００１０】
一つの接点群とは、ボディからボディに取り付けられるレンズへ電源供給を行う接点とボディからレンズへレンズを駆動するための駆動信号を供給する接点とを少なくとも含む接点群をいう。
【００１１】
本開示の一実施の形態によるアダプタは、ボディと、ボディに設けられ、異なるレンズマウントをもつ２種類以上のレンズに各々接続可能な２種類以上の接点群とを備えたカメラに装着可能であるものである。
【００１２】
本開示の一実施の形態のカメラ、または本開示の一実施の形態のアダプタでは、ボディに２種類以上の接点群が設けられている。この２種類以上の接点群は、異なるレンズマウントをもつ２種類以上のレンズに接続可能である。よって、アダプタに接点群や配線などを設けなくてもよくなり、アダプタを薄型化しながらレンズとボディとの接点群の変換を行うことが可能となる。
【００１３】
本開示の一実施の形態のカメラ、または本開示の一実施の形態のアダプタによれば、ボディに、異なるレンズマウントをもつ２種類以上のレンズに接続可能な２種類以上の接点群を設けるようにしている。よって、アダプタに接点群や配線などを設けなくてもよくなり、アダプタを薄型化しながらレンズとボディとの接点群の変換を行うことが可能となる。なお、ここに記載された効果は必ずしも限定されるものではなく、本開示中に記載されたいずれの効果であってもよい。
【図面の簡単な説明】
【００１４】
【図１】本開示の一実施の形態のカメラの構成を概略的に表す断面図および正面図である。
【図２】図１に示したカメラにおいて、第１接点群とレンズの接点群とを接続する場合を表す。
【図３】図１に示したカメラにおいて、ボディに第２アダプタを装着し、第２接点群とレンズの接点群とを接続する場合を表す概略断面図である。
【図４】図１に示したカメラにおいて、ボディに第３アダプタを装着し、第２接点群とレンズの接点群とを接続する場合を表す概略断面図である。
【図５】図１に示したカメラにおいて、ボディに第４アダプタを装着し、第２接点群とレンズの接点群とを接続する場合を表す概略断面図である。
【図６】本開示の第１の実施の形態に係るカメラのボディを右側面側から見た外観を表す側面図である。
【図７】図６に示したボディを前方正面から見た外観を表す正面図である。
【図８】図７に示したボディマウントを、外装部材から取り出して、前方正面から見た構成を表す正面図である。
【図９】本開示の第１の実施の形態に係るアダプタの正面図、およびこの正面図のＩＸＢ−ＩＸＢ線における断面図である。
【図１０】図９に示したアダプタの背面図である。
【図１１】図９に示したアダプタを図８に示したボディマウントに装着した状態を表す正面図である。
【図１２】本開示の第２の実施の形態におけるアダプタの正面図、およびこの正面図のＸＩＩＢ−ＸＩＩＢ線における断面図である。
【図１３】図１２に示したアダプタの背面図である。
【図１４】図１２に示したアダプタを図８に示したボディマウントに装着した状態において、アダプタの着脱レバーが初期位置にある状態を表す正面図である。
【図１５】図１２に示したアダプタを図８に示したボディマウントに装着した状態において、アダプタの着脱レバーが締結位置にある状態を表す正面図である。
【図１６】本開示の一実施の形態のカメラの第１適用例を表す正面図であり、本開示の第１の実施の形態に係るボディマウントに、シネマ撮影レンズ用のアダプタを装着した状態を表す正面図である。
【図１７】本開示の一実施の形態のカメラの第１適用例を表す側面図であり、図１６に示したアダプタに、シネマ撮影レンズを装着した状態を表す側面図である。
【図１８】本開示の一実施の形態のカメラの第２適用例を表す側面図であり、本開示の第１の実施の形態に係るボディマウントに、本開示の第１の実施の形態または第２の実施の形態に係るアダプタを介して、ボディマウントに適合するレンズマウントのフランジバックよりも短いフランジバックを有するレンズを装着した状態を表す側面図である。
【図１９】変形例１に係るボディの前面の構成を表す正面図である。
【図２０】変形例２に係るボディの前面の構成を表す正面図である。
【図２１】変形例３に係るボディの前面の構成を表す正面図である。
【図２２】変形例４に係るボディの前面の構成を表す正面図である。
【図２３】変形例５に係るボディの前面の構成を表す正面図である。
【図２４】変形例６に係るボディの前面の構成を表す正面図である。
【発明を実施するための形態】
【００１５】
以下、本開示の実施の形態について図面を参照して詳細に説明する。なお、説明は以下の順序で行う。
１．概略説明
２．第１の実施の形態（アダプタがバヨネット方式を採用している例）
３．第２の実施の形態（アダプタがスピゴット方式を採用している例）
４．第１適用例（本開示の一実施の形態のボディに、シネマ撮影レンズ用のアダプタを介して、シネマ撮影レンズを装着する例）
５．第２適用例（本開示の一実施の形態のボディに、本開示の一実施の形態のアダプタを介して、ボディマウントに適合するレンズマウントのフランジバックよりも短いフランジバックを有するレンズを装着する例）
６．変形例１（ボディに２種類の接点群が設けられ、光軸を中心とした周方向において、第１接点群が上方および右方、第２接点群が上方に配置されている例）
７．変形例２（ボディに２種類の接点群が設けられ、光軸を中心とした周方向において、第１接点群が上方および右方、第２接点群が左方に配置されている例）
８．変形例３（ボディに２種類の接点群が設けられ、光軸を中心とした周方向において、第１接点群が上方および右方、第２接点群が左斜め下方に配置されている例）
９．変形例４（ボディに２種類の接点群が設けられ、光軸を中心とした周方向において、第１接点群が左方、第２接点群が上方に配置されている例）
１０．変形例５（ボディに３種類の接点群が設けられている例）
１１．変形例６（ボディに４種類の接点群が設けられている例）
【００１６】
（概略説明）
まず、個々の具体的な実施の形態の説明に先立ち、図１ないし図５を参照して、本開示の一実施の形態のカメラおよびアダプタの概略を説明する。
【００１７】
図１は、本開示の一実施の形態に係るカメラの構成を概略的に表したものであり、図１の（Ａ）は光軸方向における断面構成、図１の（Ｂ）は正面から見た構成をそれぞれ表している。カメラ１は、ボディ１０と、ボディ１０に設けられた２種類以上の接点群４０とを有している。２種類以上の接点群４０は、異なるレンズマウントをもつ２種類以上のレンズ２Ａ，２Ｂ，・・・（図１には図示せず、図２ないし図５参照。）に接続可能である。これにより、このカメラ１では、アダプタを薄型化しながらレンズ２Ａ，２Ｂ，・・・とボディ１０との接点群の変換を行うことが可能となっている。
【００１８】
具体的には、カメラ１は、図１に示したように、ボディ１０の一面、例えば前面に、ボディマウント２０を有している。２種類以上の接点群４０は、同じく図１に示したように、例えば、第１接点群４１および第２接点群４２を含む。２種類以上の接点群４０は、ボディマウント２０と同じ面、すなわちボディ１０の前面に設けられている。このカメラ１では、例えば図２に示したように、ボディマウント２０に、このボディマウント２０に適合するレンズマウント５１Ａをもつレンズ２Ａを装着した場合には、第１接点群４１とレンズ２Ａのレンズ接点群５２Ａとが接続される。一方、図３に示したように、ボディマウント２０に、レンズマウント５１Ａとは異なるレンズマウント５１Ｂをもつレンズ２Ｂを、アダプタ３０Ｂを介して装着した場合には、第２接点群４２とレンズ２Ｂのレンズ接点５２Ｂとが接続される。
【００１９】
ここで、レンズマウント５１Ｂがレンズマウント５１Ａとは異なるとは、レンズマウント５１Ａ，５１Ｂのボディ１０に対する機械的な嵌め合い形状、具体的には嵌め合い口径ＡＰ５１Ａ，ＡＰ５１Ｂが異なること、または、レンズマウント５１Ａ，５１ＢのフランジバックＦＢ５１Ａ，ＦＢ５１Ｂが異なることをいう。
【００２０】
以下、このことについて更に説明する。
【００２１】
図１に示したボディ１０は、撮像素子１１を内蔵すると共に、前面にボディマウント２０が設けられている。ボディ１０の前面には、撮像素子１１に対向して光学部品１３が配置されている。
【００２２】
以下の説明および図面において、Ｚは光軸方向を表す。光軸Ａはレンズ２Ａ，２Ｂ，・・・、光学部品１３、および撮像素子１１の中心を通る線である。光軸方向Ｚにおいてレンズ２Ａ，２Ｂ，・・・側を前方、ボディ１０側を後方とする。Ｘはボディマウント２０を前方正面から見て左右方向、Ｙはボディマウント２０を前方正面から見て上下方向を表す。
【００２３】
図１に示したボディマウント２０は、例えば、固有の口径ＡＰ２０およびフランジバックＦＢ２０を有している。口径ＡＰ２０は、ボディマウント２０の開口径である。フランジバックＦＢ２０は、ボディマウント２０の第１基準面Ｐ１と撮像面Ｐ１１との光軸方向Ｚにおける距離であり、それぞれのボディ１０ないしボディマウント２０に固有の値である。第１基準面Ｐ１は、ボディマウント２０とレンズ２Ａ（図２参照。）の後端部とが接する面である。撮像面Ｐ１１は、例えば、撮像素子１１のフォトダイオードに光が入射する面に対応する。
【００２４】
図２に示したレンズ２Ａは、例えば、レンズマウント５１Ａと、レンズ接点群５２Ａとを有している。レンズマウント５１Ａは、ボディマウント２０の固有の口径ＡＰ２０およびフランジバックＦＢ２０に対応した口径ＡＰ５１ＡおよびフランジバックＦＢ５１Ａをもつ。
【００２５】
一方、図３に示したレンズ２Ｂは、例えば、レンズマウント５１Ｂと、レンズ接点群５２Ｂとを有している。レンズマウント５１Ｂは、レンズマウント５１Ａとは異なる口径ＡＰ５１ＢまたはフランジバックＦＢ５１Ｂをもつ。
【００２６】
基本的に、ボディマウント２０には、その固有の口径ＡＰ２０およびフランジバックＦＢ２０に適合するレンズマウント５１Ａをもつレンズ２Ａを装着可能である（図２参照。）。一方で、ボディマウント２０に、レンズマウント５１Ａとは異なるレンズマウント５１Ｂをもつレンズ２Ｂを装着したい場合（図３参照。）もありうる。そのような場合には、アダプタ３０Ｂを用いて、口径ＡＰ２０，ＡＰ５１Ｂの異なるボディマウント２０とレンズマウント５１Ｂとの結合形状の機械的な変換を行うと共に、レンズ２Ｂとボディ１０との通信のための接点群についても変換を行う。
【００２７】
その際、レンズマウント５１ＡのフランジバックＦＢ５１Ａと、装着したいレンズ２Ｂのレンズマウント５１ＢのもつフランジバックＦＢ５１Ｂとの差ΔＦＢが十分に大きい場合には、アダプタ３０Ｂに接点群を設け、アダプタ３０Ｂの内部に配線などを通すことにより、レンズ２Ｂとボディ１０との接点群の変換を行うことが可能である。
【００２８】
しかしながら、レンズマウント５１ＡのフランジバックＦＢ５１Ａと、装着したいレンズ２Ｂのレンズマウント５１ＢのフランジバックＦＢ５１Ｂとの差ΔＦＢが例えば１２ｍｍ以下、更には１０ｍｍ以下と小さい場合には、アダプタ３０Ｂに接点群を設けたり、アダプタ３０Ｂの内部に配線などを通したりすることは難しくなる。
【００２９】
そこで本実施の形態では、上述したように、ボディ１０に２種類以上の接点群４０を設け、これら２種類以上の接点群４０を、異なるレンズマウント５１Ａ，５１Ｂ，・・・をもつ２種類以上のレンズ２Ａ，２Ｂ，・・・に接続可能とするようにしている。これにより、このカメラ１では、アダプタ３０Ｂに接点群や配線を設けることなく、第１接点群４１とレンズ２Ａのレンズ接点群５２Ａとの接続と、第２接点群４２とレンズ２Ｂのレンズ接点群５２Ｂとの接続とを切り替えることが可能となる。よって、アダプタ３０Ｂを薄型化しながらレンズ２Ｂとボディ１０との接点群の変換を行うことが可能となる。
【００３０】
２種類以上の接点群４０のうちの１種類、例えば第１接点群４１は、ＰＬマウントに適合するレンズマウント５１Ａをもつレンズ２Ａに接続可能であることが好ましい。換言すれば、２種類以上の接点群４０のうちの１種類、例えば第１接点群４１は、フランジバックＦＢ２０が５２ｍｍのボディマウント２０に適合するレンズマウント５１Ａをもつレンズ２Ａに接続可能であることが好ましい。なお、この場合には、第１接点群４１は、図１の（Ｂ）に示したように、光軸Ａを中心とした周方向において二つの離れた場所（上方および右方）に配置される。この二か所の第１接点群４１は、同じレンズ２Ａに接続可能なので、本明細書では１種類として数えている。
【００３１】
２種類以上の接点群４０は、図１の（Ａ）に示したように、光軸方向Ｚの異なる位置に配置されていることが好ましい。換言すれば、２種類以上の接点群４０は、撮像面Ｐ１１からの光軸方向Ｚにおける距離が互いに異なることが好ましい。例えば、フランジバックの差ΔＦＢに応じて、第１接点群４１と撮像面Ｐ１１との距離Ｄ４１と、第２接点群４２と撮像面Ｐ１１との距離Ｄ４２とが異なることが好ましい。これにより、レンズ２Ａ（またはレンズ２Ｂ，・・・のいずれか）を装着して２種類以上の接点群４０のうちの１種類に接続したときに、他の種類の接点群との干渉を回避することが可能となる。
【００３２】
また、２種類以上の接点群４０は、図１の（Ｂ）に示したように、光軸Ａに対して径方向の異なる位置に配置されていることが好ましい。これにより、レンズ２Ａ（または２Ｂ，・・・のいずれか）を装着して２種類以上の接点群４０のうちの１種類に接続したときに、他の種類の接点群との干渉を回避することが可能となる。また、後述するように、カメラ１にアダプタ３０Ｂが装着された状態で、第２接点群４２をアダプタ３０Ｂの内周側に露出させ、第２接点群４２とレンズ２Ｂとを容易に接続することが可能となる。
【００３３】
更に、２種類以上の接点群４０は、同じく図１の（Ｂ）に示したように、光軸Ａを中心として周方向に回転した位置に配置されていることが好ましい。これにより、レンズ２Ａ（または２Ｂ，・・・のいずれか）を装着して２種類以上の接点群４０のうちの１種類に接続したときに、他の種類の接点群との干渉を回避することが可能となる。
【００３４】
２種類以上の接点群４０は、ボディ１０内部で異なるグランド、異なる電源および異なる配線に接続されていることが可能である。あるいは、２種類以上の接点群４０は、ボディ１０内部でグランド、電源および配線の少なくとも一つを共有していることも可能である。
【００３５】
なお、図１の（Ｂ）では、第２接点群４２は第１接点群４１よりも内周側に配置され、かつ、光軸Ａを中心とした周方向において第１接点群４１は上方および右方、第２接点群４２は下方に配置されている場合を表している。しかしながら、第１接点群４１および第２接点群４２の光軸Ａに対する径方向および周方向の位置関係は、装着したいレンズ２Ａ，２Ｂ，・・・の構成に応じて様々な変形が可能である。
【００３６】
また、図３には、レンズマウント５１ＢのフランジバックＦＢ５１Ｂがレンズマウント５１ＡのフランジバックＦＢ５１Ａよりも短く、フランジバックの差ΔＦＢが光軸方向Ｚにおいて第１基準面Ｐ１よりも撮像面Ｐ１１側に生じている場合を表している。しかしながら、以上の説明は、図４に示したように、フランジバックの差ΔＦＢが光軸方向Ｚにおいて第１基準面Ｐ１よりもレンズ２Ｃ側に生じている場合にも同様に当てはまるものである。この場合には、レンズ２Ｃのレンズマウント５１Ｃは、レンズマウント５１ＡのフランジバックＦＢ５１Ａよりも長いフランジバックＦＢ５１Ｃを有しており、レンズ２Ｃはアダプタ３０Ｃを介してボディマウント２０に装着されている。レンズ２Ｃのレンズ接点群５２Ｃは、例えば、第２接点群４２に接続される。第２接点群４２の光軸方向Ｚにおける位置は、レンズ２Ｃのレンズ接点群５２Ｃと接続可能となるよう調整されていることが好ましい。
【００３７】
あるいは、以上の説明は、図５に示したように、フランジバックの差ΔＦＢが光軸方向Ｚにおいてゼロ（０）である場合にも同様に当てはまるものである。この場合には、レンズ２Ｄのレンズマウント５１Ｄは、レンズマウント５１ＡのフランジバックＦＢ５１Ａと同じフランジバックＦＢ５１Ｄを有しているが、レンズマウント５１Ａの口径ＡＰ５１Ａとは異なる口径ＡＰ５１Ｄを有している。そのため、レンズ２Ｄは、アダプタ３０Ｄを介してボディマウント２０に装着されている。レンズ２Ｄのレンズ接点群５２Ｄは、例えば、第２接点群４２に接続される。第２接点群４２の光軸方向Ｚにおける位置は、レンズ２Ｄのレンズ接点群５２Ｄと接続可能となるよう調整されていることが好ましい。
【００３８】
以下、このようなカメラ１およびアダプタ３０Ｂ〜３０Ｄを具体化する実施の形態（第１の実施の形態および第２の実施の形態）について説明する。
【００３９】
（第１の実施の形態）
図６は、本開示の第１の実施の形態に係るカメラ１のボディ１０を右側面側から見た外観を表したものである。図７は、図６に示したボディ１０を前方正面から見た外観を表したものである。このカメラ１は、例えばシネマ撮影用カメラであり、ボディ１０の光軸方向Ｚにおける最前部に、ボディマウント２０を有している。ボディ１０は、外装部材１４を有し、この外装部材１４に撮像素子１１（図６には図示せず、図１の（Ａ）参照。）が内蔵されている。外装部材１４の各面には、録画スタート釦１４Ａ、メニュー選択釦１４Ｂ、サイドパネル１４Ｃのほか、各種の操作釦や調整釦、ビューファインダー等のアクセサリー装着部、外部メモリ収納部、ＵＳＢ接続部、バッテリー接続部などが適宜設けられている。
【００４０】
ボディマウント２０は、レンズ２Ａ（図２参照。）またはアダプタ３０Ｂ〜３０Ｄ（図３ないし図５参照。）とボディ１０との接続部となるものである。ボディマウント２０は、図７に示したように、ボディ１０の外装部材１４の前面中央上部に設けられている。ボディマウント２０の内側の中央には、光学部品１３が設けられている。この光学部品１３の光軸方向Ｚにおける後方には、撮像素子１１（図７には図示せず、図１の（Ａ）参照。）が配置されている。ボディマウント２０の内側の、光学部品１３の周囲の領域には、２種類以上の接点群４０として、例えば第１接点群４１および第２接点群４２がある。また、ボディ１０の外装部材１４の前面右斜め下部には、操作ダイヤル１５が設けられている。この操作ダイヤル１５は、光学部品１３と撮像素子１１との間に配置されるＮＤフィルタ（減光フィルタ）等の光学部品をユーザが切り替えるための操作部である。なお、操作ダイヤル１５は、本実施の形態のような回転式（ダイヤル式）のものに限定されず、例えば操作釦などの押すタイプのものでもよい。
【００４１】
図８は、図７に示したボディマウント２０を、外装部材１４から取り出して、前方正面から見た構成を表したものである。ボディマウント２０は、シャーシ部材１６に固定され一体化されている。ボディマウント２０は、シャーシ部材１６の左方から上方にかけての領域を占めている。シャーシ部材１６は、ボディマウント２０の下方および右斜め下方に、収納部１６Ａを有している。この収納部１６Ａには、例えば３枚〜４枚の上述したＮＤフィルタ等の光学部品を保持するターレット（図示せず）が収容されている。収納部１６Ａの右斜め下には、上述した操作ダイヤル１５が設けられており、ユーザが操作ダイヤル１５を回すことによりターレットが回転してＮＤフィルタ等の光学部品が切り替わるようになっている。
【００４２】
ボディマウント２０は、レンズ２Ａまたはアダプタ３０Ｂ〜３０Ｄの装着方法としてスピゴット方式を採用しており、例えば、内周側から順に装着環２１、保持環２２および締結環２３を有している。なお、図８には装着環２１および保持環２２のみが示され、締結環２３は図８には示されず、図７に示されている。ボディマウント２０にスピゴット方式を採用することにより、シネマ撮影用の大型・大重量のレンズ２Ａ等をボディ１０に堅牢に締結することが可能となり、信頼性が高まる。また、レンズ２Ａ等を回転させずに脱着が可能であることも利点である。
【００４３】
装着環２１は、レンズ２Ａの後端部またはアダプタ３０Ｂ〜３０Ｄが着座する部分であり、第１基準面Ｐ１を有している。第１基準面Ｐ１は、レンズ２Ａの後端部またはアダプタ３０Ｂ〜３０Ｄが装着される面である。第１基準面Ｐ１と撮像面Ｐ１１との光軸方向Ｚにおける距離が、ボディ１０に固有のフランジバックＦＢ２０（図１の（Ａ）参照。）となる。ボディ１０には、基本的には、フランジバックＦＢ２０に対応するフランジバックＦＢ５１Ａをもつレンズマウント５１Ａを有するレンズ２Ａ（図２参照。）が装着される。
【００４４】
保持環２２は、レンズ２Ａの後端部またはアダプタ３０Ｂ〜３０Ｄを保持する部分である。保持環２２は、周方向の３箇所に爪２２Ａを有している。爪２２Ａは、装着環２１の第１基準面Ｐ１の上方に張り出しており、第１基準面Ｐ１と爪２２Ａとの間にレンズ２Ａの後端部またはアダプタ３０Ｂ〜３０Ｄを挟んで保持することが可能となっている。なお、ボディマウント２０の口径ＡＰ２０は、図８に示したように、保持環２２の最小開口径に対応する。
【００４５】
締結環２３は、保持環２２と一緒に光軸Ａの周りに回動することによりレンズ２Ａまたはアダプタ３０Ｂ〜３０Ｄとボディマウント２０とを締結・固定するものである。締結環２３の外側面には、ユーザが締結環２３を握って回しやすいように、凹凸の滑り止め２３Ａが設けられていることが好ましい。
【００４６】
光学部品１３は、例えば撮像素子１１の保護機能および適宜の光学的機能を有するガラス板の部材である。光学部品１３は、例えば一方向に長い矩形の形状を有し、ボディマウント２０で囲まれた円形の領域の中央に横長に配置されている。なお、撮像素子１１も光学部品１３と同様に横長に配置されていることはいうまでもない。光学部品１３は、光学部品支持部材１７に支持されている。光学部品支持部材１７は、ねじ１７Ａ，１７Ｂによりシャーシ部材１６に固定されている。
【００４７】
２種類以上の接点群４０は、上述したように、異なるレンズマウント５１Ａ，５１Ｂ，・・・をもつ２種類以上のレンズ２Ａ，２Ｂ，・・・に接続可能である。これにより、このカメラ１では、アダプタ３０Ｂ〜３０Ｄを薄型化しながらレンズ２Ａ，２Ｂ，・・・とボディ１０との接点群の変換を行うことが可能となっている。
【００４８】
第１接点群４１は、ボディマウント２０に対応した口径ＡＰ５１ＡおよびフランジバックＦＢ５１Ａをもつレンズマウント５１Ａを有するレンズ２Ａとボディ１０との電気的な接続を行うものである（図２参照。）。第１接点群４１は、例えば、ボディ１０からボディ１０に取り付けられるレンズ２Ａへ電源供給を行う接点と、ボディ１０からレンズ２Ａへ、レンズ２Ａを駆動するための駆動信号を供給する接点とを少なくとも含む接点の集合をいう。
【００４９】
第１接点群４１は、ボディマウント２０を前方正面から見て、光軸Ａを中心とした周方向において例えば左方に配置されている。換言すれば、第１接点群４１は、光学部品１３の左側の短辺に沿って円弧状に配置されている。第１接点群４１は、第１接点群支持部材４１Ａにより支持されている。第１接点群支持部材４１Ａは、ねじ４１Ｂ，４１Ｃにより、シャーシ部材１６に固定され、支持されている。
【００５０】
第２接点群４２は、レンズマウント５１Ａの口径ＡＰ５１ＡおよびフランジバックＦＢ５１Ａとは異なる口径ＡＰ５１Ｂ，ＡＰ５１ＣまたはフランジバックＦＢ５１Ｂ，ＦＢ５１Ｃをもつレンズマウント５１Ｂ，５１Ｃを有するレンズ２Ｂ，２Ｃとボディ１０とを接続するものである（図３または図４参照。）。または、第２接点群４２は、レンズマウント５１ＡのフランジバックＦＢ５１Ａと同じフランジバックＦＢ５１Ｄをもつが、レンズマウント５１Ａの口径ＡＰ５１Ａとは異なる口径ＡＰ５１Ｄをもつレンズマウント５１Ｄを有するレンズ２Ｄとボディ１０とを接続するものであってもよい（図５参照。）。第２接点群４２は、例えば、ボディ１０からボディ１０に取り付けられるレンズ２Ｂ（またはレンズ２Ｃ，２Ｄ）へ電源供給を行う接点と、ボディ１０からレンズ２Ｂ（またはレンズ２Ｃ，２Ｄ）へ、レンズ２Ｂ（またはレンズ２Ｃ，２Ｄ）を駆動するための駆動信号を供給する接点とを少なくとも含む接点の集合をいう。
【００５１】
第２接点群４２は、ボディマウント２０を前方正面から見て、光軸Ａを中心とした周方向において例えば下方に配置されている。換言すれば、第２接点群４２は、光学部品１３の下側の長辺に沿って円弧状に配置されている。第２接点群４２は、第２接点群支持部材４２Ａにより支持されている。第２接点群支持部材４２Ａは、ねじ４２Ｂ，４２Ｃにより、シャーシ部材１６に固定され、支持されている。
【００５２】
図９の（Ａ）は、本開示の第１の実施の形態に係るアダプタ３０Ｂを前方正面から見た構成を表したものである。図９の（Ｂ）は、図９の（Ａ）のＩＸＢ−ＩＸＢ線における断面構成を表したものである。なお、図９に示したアダプタ３０Ｂは、図３に示したように、レンズマウント５１ＢのフランジバックＦＢ５１Ｂがレンズマウント５１ＡのフランジバックＦＢ５１Ａよりも短く、フランジバックの差ΔＦＢが光軸方向Ｚにおいて第１基準面Ｐ１よりも撮像面Ｐ１１側に生じている場合に用いられるものである。
【００５３】
このアダプタ３０Ｂは、図３に示したように、上述した第１基準面Ｐ１を有し第１基準面Ｐ１と撮像面Ｐ１１との間にフランジバックＦＢ２０をもつボディマウント２０の第１基準面Ｐ１に装着可能である。また、アダプタ３０Ｂは、第２基準面Ｐ２を有し第２基準面Ｐ２と撮像面Ｐ１１との間にフランジバックＦＢ２０よりも短いフランジバックＦＢ３０Ｂを有する。第２基準面Ｐ２は、レンズ２Ｂ（図３参照。）が装着される面である。このようなアダプタ３０Ｂにより、ボディマウント２０全体を交換することなく、レンズマウント５１ＡのフランジバックＦＢ５１Ａよりも短いフランジバックＦＢ５１Ｂをもつレンズマウント５１Ｂを有するレンズ２Ｂに対応可能となる。
【００５４】
具体的には、アダプタ３０Ｂは、例えば図９の（Ａ）および図９の（Ｂ）に示したように、外周部３２と、内周部３３と、中間部３４とを有している。アダプタ３０Ｂの内周側には円形の開口３３Ａが設けられている。アダプタ３０Ｂの口径ＡＰ３０Ｂは、図３に示したように、ボディマウント２０の口径ＡＰ２０よりも小さく、レンズマウント５１Ｂの口径ＡＰ５１Ｂに等しい。
【００５５】
外周部３２は、ボディマウント２０の第１基準面Ｐ１に装着される部分であり、装着面３１を有している。装着面３１は、ボディマウント２０の第１基準面Ｐ１に装着された状態で第１基準面Ｐ１に接する面である。外周部３２は、周方向の３箇所に、ボディマウント２０への装着のための外爪３２Ａを有している。
【００５６】
内周部３３は、外周部３２の内側に同心円状に設けられると共に第２基準面Ｐ２を有している。第２基準面Ｐ２は、光軸方向Ｚにおいて装着面３１よりも撮像面Ｐ１１側に位置することが好ましい。このようにすることにより、ボディマウント２０に、アダプタ３０Ｂを介して、レンズマウント５１Ａよりも短いフランジバックＦＢ５１Ｂをもつレンズマウント５１Ｂを有するレンズ２Ｂを装着することが可能となる。
【００５７】
中間部３４は、外周部３２と内周部３３とを光軸方向Ｚにおいて連結する部分である。中間部３４は、レンズマウント５１Ａ，５１Ｂのフランジバックの差ΔＦＢに応じて適宜の段差を有していてもよい。その場合、中間部３４は、外周部３２と内周部３３とをつなぐ傾斜面３４Ａを有していることが好ましい。傾斜面３４Ａを有することにより、多様な形状のレンズに対応することが可能となる。加えて、傾斜面３４Ａを設けることにより、後述するレンズ離脱釦３５Ｃの周囲に余裕空間が生まれ、ユーザがレンズ離脱釦３５Ｃを押しやすくなる。
【００５８】
図１０は、図９に示したアダプタ３０Ｂを背面側から見た構成を表したものである。アダプタ３０Ｂは、レンズ２Ｂの装着方法としてバヨネット方式を採用しており、例えば、内爪３５Ａと、バヨネット機構３５Ｂと、レンズ離脱釦３５Ｃとを有している。
【００５９】
内爪３５Ａは、レンズ２Ｂを第２基準面Ｐ２に装着するためのものである。内爪３５Ａは、例えば図９の（Ａ）に示したように、内周部３３の開口３３Ａの周方向の３箇所に設けられている。
【００６０】
バヨネット機構３５Ｂは、図１０に示したように、内爪３５Ａの裏側に設けられたばね機構であり、レンズ２Ｂを第２基準面Ｐ２に押し付け、レンズ２Ｂの光軸方向Ｚにおける変位や位置ずれを抑えるようになっている。
【００６１】
レンズ離脱釦３５Ｃは、図９の（Ａ）に示したように、レンズ２Ｂをアダプタ３０Ｂから取り外すための押し釦である。レンズ離脱釦３５Ｃは、外周部３２および中間部３４の左斜め下方に設けられている。
【００６２】
また、レンズ離脱釦３５Ｃは、図９の（Ｂ）に示したように、光軸方向Ｚにおいて外周部３２の前面３２Ａよりもレンズ２Ｂ側へ突出していることが好ましい。このようにすることにより、ユーザがレンズ離脱釦３５Ｃを指の爪の先ではなく指の腹で容易に押すことが可能となり、使いやすさが向上する。
【００６３】
図１１は、このようなアダプタ３０Ｂを図８に示したボディマウント２０に装着した状態を、ボディマウント２０の前方正面から見た構成を表したものである。なお、図１１には、図８で省略されている締結環２３も示されている。
【００６４】
第１基準面Ｐ１にアダプタ３０Ｂが装着された状態では、第１接点群４１はアダプタ３０Ｂに隠されており、第２接点群４２はアダプタ３０Ｂの内周側の開口３３Ａから露出していることが好ましい。これにより、後述するように、アダプタ３０Ｂの開口３３Ａから露出した第２接点群４２とレンズ２Ｂとを容易に接続することが可能となる。また、第１接点群４１をアダプタ３０Ｂに隠された状態とすることにより、視覚的にレンズ２Ａを装着可能な状態ではないことを容易に認識できるようになり、レンズ装着を間違えにくくすることが可能となる。
【００６５】
また、締結環２３は、周方向の一部、例えばボディマウント２０を前方正面から見て下方に、切欠き部分２３Ｂを有していることが好ましい。切欠き部分２３Ｂは、締結環２３の周方向の一部において、その光軸方向Ｚにおける高さを低くしたものである。これにより、締結環２３の下方に空間が生まれ、レンズ２Ａ，２Ｂ，・・・のレンズ鏡筒から下方に突出する部品と締結環２３との干渉を回避することが可能となる。切欠き部分２３Ｂの光軸方向Ｚにおける高さは、例えば保持環２２と同一面またはほぼ同一面をなすようにすることが好ましい。
【００６６】
締結環２３は、切欠き部分２３Ｂ以外の立ち壁部分２３Ｃを有している。立ち壁部分２３Ｃは、光軸Ａを中心とする中心角αが１８０°以上であることが好ましい。これにより、ユーザが手で立ち壁部分２３Ｃを握って回しやすくすることが可能となる。なお、凹凸の滑り止め２３Ａは、立ち壁部分２３Ｃのみに設けてもよいし、立ち壁部分２３Ｃおよび切欠き部分２３Ｂの両方に設けられていてもよい。
【００６７】
アダプタ３０Ｂのレンズ離脱釦３５Ｃは、締結環２３の切欠き部分２３Ｂの範囲内に設けられていることが好ましい。これにより、ユーザがレンズ離脱釦３５Ｃを容易に押すことが可能となり、利便性が向上する。
【００６８】
また、アダプタ３０Ｂのレンズ離脱釦３５Ｃは、ボディマウント２０を前方正面から見て、ボディマウント２０の周方向において斜め下方、例えば左斜め下方または右斜め下方にあることが好ましい。レンズ離脱釦３５Ｃをボディマウント２０の周方向において下方に配置する場合には、レンズ２Ｂの下方に付属する部品との干渉によりレンズ離脱釦３５Ｃを操作しにくくなるおそれがある。また、レンズ離脱釦３５Ｃは、メインカメラマンを補助するアシスタントカメラマンがカメラ１の脇に立って操作する場合が多い。従って、レンズ離脱釦３５Ｃを左斜め下方または右斜め下方に配置することにより、アシスタントカメラマンがレンズ離脱釦３５Ｃを操作しやすくなる。よって、作業効率が良くなる。なお、図１１では、右斜め下方に操作ダイヤル１５を配置し、左斜め下方にレンズ離脱釦３５Ｃを配置している場合を表しているが、操作ダイヤル１５とレンズ離脱釦３５Ｃは両方とも左斜め下方、または両方とも右斜め下方に配置されていてもよい。
【００６９】
このカメラ１では、例えば次のようにしてレンズ２Ｂおよびアダプタ３０Ｂのボディ１０への取り付けを行うことができる。
【００７０】
まず、アダプタ３０Ｂの外周部３２の外爪３２Ａを、ボディマウント２０の保持環２２の爪２２Ａの間に嵌め込む。次いで、締結環２３を締める方向に回動させて、ボディマウント２０の爪２２Ａと第１基準面Ｐ１との間にアダプタ３０Ｂの外爪３２Ａを挟み込み、アダプタ３０Ｂをボディマウント２０の第１基準面Ｐ１に装着して固定する。
【００７１】
このとき、図１１に示したように、第１基準面Ｐ１にアダプタ３０Ｂが装着された状態では、第１接点群４１はアダプタ３０Ｂに隠されており、第２接点群４２はアダプタ３０Ｂの内周側の開口３３Ａから露出している。よって、アダプタ３０Ｂの開口３３Ａから露出した第２接点群４２とレンズ２Ｂとを容易に接続することが可能となる。また、第１接点群４１はアダプタ３０Ｂに隠された状態となるので、ユーザが視覚的にレンズ２Ａを装着可能な状態ではないことを容易に認識できるようになり、レンズ装着を間違えにくくなる。
【００７２】
そののち、レンズ２Ｂの後端部の爪（図示せず）をアダプタ３０Ｂの内周部３３の内爪３５Ａの間に嵌め込み、レンズ２Ｂを回動させる。これにより、レンズ２Ｂをアダプタ３０Ｂの第２基準面Ｐ２に装着して固定する。これにより、第２接点群４２とレンズ２Ｂのレンズ接点群５２Ｂとが接続される（図３参照。）
【００７３】
このように本実施の形態では、ボディ１０に、異なるレンズマウント５１Ａ，５１Ｂ，・・・をもつ２種類以上のレンズ２Ａ，２Ｂ，・・・に接続可能な２種類以上の接点群４０を設けるようにしている。よって、アダプタ３０Ｂに接点群や配線などを設けなくてもよくなり、アダプタ３０Ｂを薄型化しながらレンズ２Ａ，２Ｂ，・・・とボディ１０との接点群の変換を行うことが可能となる。また、アダプタ３０Ｂの内部に配線などを通さなくてもよくなるので、アダプタ３０Ｂの防水・防塵構造を容易に実現することが可能となる。
【００７４】
（第２の実施の形態）
図１２の（Ａ）は、本開示の第２の実施の形態におけるアダプタ３０Ｂを前方正面から見た構成を表したものである。図１２の（Ｂ）は、図１２の（Ａ）のＸＩＩＢ−ＸＩＩＢ線における断面構成を表したものである。図１３は、図１２に示したアダプタ３０Ｂを背面側から見た構成を表したものである。本実施の形態のアダプタ３０Ｂは、レンズ２Ｂの装着方法としてスピゴット方式を採用していることにおいて、上記第１の実施の形態のアダプタ３０Ｂとは異なるものである。よって、対応する構成要素については同一の符号を付して説明する。
【００７５】
具体的には、アダプタ３０Ｂは、例えば図１２の（Ａ）および図１２の（Ｂ）に示したように、外周部３２と、内周部３３と、中間部３４と、締結部３６と、スピゴット機構３７とを有している。アダプタ３０Ｂの内周側には円形の開口３３Ａが設けられている。アダプタ３０Ｂの口径ＡＰ３０Ｂは、ボディマウント２０の口径ＡＰ２０よりも小さい。
【００７６】
外周部３２は、ボディマウント２０の第１基準面Ｐ１に装着される部分であり、装着面３１を有している。装着面３１は、ボディマウント２０の第１基準面Ｐ１に装着された状態で第１基準面Ｐ１に接する面である。外周部３２は、周方向の３箇所に、ボディマウント２０への装着のための外爪３２Ａを有している。
【００７７】
締結部３６は、光軸Ａの周りに回動することによりレンズ２Ｂとアダプタ３０Ｂとを締結・固定または取り外すものである。締結部３６は、外周部３２の光軸方向Ｚにおいて前方に、ねじ３６Ａにより固定されている。締結部３６には、着脱レバー３６Ｂが設けられている。着脱レバー３６Ｂは、レンズ２Ｂをアダプタ３０Ｂに締結し、またはレンズ２Ｂをアダプタ３０Ｂから取り外すための操作レバーであり、図１２の（Ａ）に示したように、締結部３６の周方向において左斜め上方に設けられている。また、締結部３６は、内周部３３との境界に傾斜面３６Ａを有していてもよい。傾斜面３６Ａを有することにより、多様な形状のレンズに対応することが可能となる。加えて、傾斜面３６Ａが設けられていることで、着脱レバー３６Ｂの周囲に余裕空間が生まれ、ユーザが着脱レバー３６Ｂを操作しやすくなる。
【００７８】
内周部３３は、外周部３２の内側に同心円状に設けられると共に第２基準面Ｐ２を有している。第２基準面Ｐ２は、光軸方向Ｚにおいて装着面３１よりも撮像面Ｐ１１側に位置することが好ましい。このようにすることにより、ボディマウント２０に、アダプタ３０を介して、レンズマウント５１ＡのフランジバックＦＢ５１Ａよりも短いフランジバックＦＢ５１Ｂをもつレンズマウント５１Ｂを有するレンズ２Ｂを装着することが可能となる。
【００７９】
スピゴット機構３７は、内周部３３の光軸方向Ｚにおける後方に設けられ、周方向の３箇所に内爪３７Ａを有している。スピゴット機構３７は、連結部３７Ｂにより締結部３６に固定され、締結部３６の回動に伴って光軸Ａの周りに回動可能となっている。連結部３７Ｂは、外周部３２の周方向の一部に切られたガイド溝３２Ｂ内に設けられている。従って、連結部３７Ｂおよび締結部３６の可動範囲は、ガイド溝３２Ｂによって規定されるようになっている。
【００８０】
中間部３４は、締結部３６および外周部３２と内周部３３とを光軸方向Ｚにおいて連結する部分である。中間部３４は、第１の実施の形態と同様に、段差および傾斜面３４Ａを有していてもよい。
【００８１】
図１４および図１５は、このようなアダプタ３０Ｂを図８に示したボディマウント２０に装着した状態を、ボディマウント２０の前方正面から見た構成を表したものである。図１４は着脱レバー３６Ｂが初期位置ＰＩにある状態、図１５は着脱レバー３６Ｂが締結位置ＰＴにある場合をそれぞれ表している。なお、図１４および図１５には、図８で省略されている締結環２３も示されている。
【００８２】
第１の実施の形態と同様に、第１基準面Ｐ１にアダプタ３０Ｂが装着された状態では、第１接点群４１はアダプタ３０Ｂに隠されており、第２接点群４２はアダプタ３０Ｂの内周側の開口３３Ａから露出していることが好ましい。これにより、アダプタ３０Ｂの開口３３Ａから露出した第２接点群４２とレンズ２Ｂとを容易に接続することが可能となる。また、第１接点群４１をアダプタ３０Ｂに隠された状態とすることにより、視覚的にレンズ２Ａを装着可能な状態ではないことを容易に認識できるようになり、レンズ装着を間違えにくくすることが可能となる。
【００８３】
また、第１の実施の形態と同様に、締結環２３は、周方向の一部、例えばボディマウント２０を前方正面から見て下方に、切欠き部分２３Ｂを有していることが好ましい。切欠き部分２３Ｂの光軸方向Ｚにおける高さは、例えば保持環２２と同一面またはほぼ同一面をなすようにすることが好ましい。
【００８４】
第１の実施の形態と同様に、締結環２３は、切欠き部分２３Ｂ以外の立ち壁部分２３Ｃを有している。立ち壁部分２３Ｃは、第１の実施の形態と同様に、光軸Ａを中心とする中心角αが１８０°以上であることが好ましい。
【００８５】
アダプタ３０Ｂの着脱レバー３６Ｂの可動範囲Ｒ３６Ｂは、締結環２３の切欠き部分２３Ｂ以外の立ち壁部分２３Ｃの範囲内に設けられていることが好ましい。これにより、着脱レバー３６Ｂの操作を、レンズ２Ｂのレンズ鏡筒から下方に突出する部品との干渉なく行うことが可能となる。
【００８６】
また、アダプタ３０Ｂの着脱レバー３６Ｂの可動範囲Ｒ３６Ｂは、ボディマウント２０を前方正面から見て、ボディマウント２０の周方向において斜め上方、例えば左斜め上方または右斜め上方にあることが好ましい。着脱レバー３６Ｂがボディマウント２０の周方向において上方にある場合には、ユーザは、着脱レバー３６を時計回りと反時計回りのどちらに回せば締結されるのか迷いやすくなる。一方、着脱レバー３６Ｂが斜め上方に位置している場合には、ユーザは着脱レバー３６Ｂを下ろせば締結されることを視覚的・直感的に把握しやすくなる。また、着脱レバー３６Ｂは、メインカメラマンを補助するアシスタントカメラマンがカメラ１の脇に立って操作する場合が多い。従って、着脱レバー３６Ｂを斜め上方に配置することにより、アシスタントカメラマンが着脱レバー３６Ｂを操作しやすくなる。よって、作業効率が良くなる。
【００８７】
具体的には、図１４に示した着脱レバー３６Ｂの初期位置ＰＩは、ボディマウント２０を前方正面から見てボディマウント２０の周方向において左斜め上方にあり、図１５に示した着脱レバー３６Ｂの締結位置ＰＴは、初期位置ＰＩから反時計回りＣＣＷに回動した位置にあることが好ましい。なお、締結部３６の締結のための回動方向によっては、着脱レバー３６Ｂの初期位置ＰＩを右斜め上方とし、着脱レバー３６Ｂの締結位置ＰＴを、初期位置ＰＩから時計回りに回動した位置とすることも可能である。
【００８８】
このカメラ１では、例えば次のようにしてアダプタ３０Ｂおよびレンズ２Ｂのボディ１０への取り付けを行うことができる。
【００８９】
まず、アダプタ３０Ｂの外周部３２の外爪３２Ａを、ボディマウント２０の保持環２２の爪２２Ａの間に嵌め込む。次いで、締結環２３を締める方向に回動させて、ボディマウント２０の爪２２Ａと第１基準面Ｐ１との間にアダプタ３０Ｂの外爪３２Ａを挟み込み、アダプタ３０Ｂをボディマウント２０の第１基準面Ｐ１に装着して固定する。
【００９０】
このとき、図１４および図１５に示したように、第１基準面Ｐ１にアダプタ３０Ｂが装着された状態では、第１接点群４１はアダプタ３０Ｂに隠されており、第２接点群４２はアダプタ３０Ｂの内周側の開口３３Ａから露出している。よって、アダプタ３０Ｂの開口３３Ａから露出した第２接点群４２とレンズ２Ｂとを容易に接続することが可能となる。また、第１接点群４１をアダプタ３０Ｂに隠された状態とすることにより、視覚的にレンズ２Ａを装着可能な状態ではないことを容易に認識できるようになり、レンズ装着を間違えにくくすることが可能となる。
【００９１】
そののち、レンズ２Ｂの後端部の爪（図示せず）をアダプタ３０Ｂのスピゴット機構３７の内爪３７Ａの間に嵌め込み、着脱レバー３６Ｂを図１４に示した初期位置ＰＩから図１５に示した締結位置ＰＴに移動させる。これにより、レンズ２Ｂをアダプタ３０Ｂの第２基準面Ｐ２に装着して固定する。
【００９２】
このとき、ボディマウント２０において締結環２３を締める回動方向と、アダプタ３０Ｂにおいて締結部３６を回動させて第２基準面Ｐ２からレンズ２Ｂを離脱させる回動方向とが、光軸Ａを中心にして逆回りであることが好ましい。このようにすることにより、ユーザがボディマウント２０の締結環２３を緩める方向に回すと、その回動方向はレンズ２Ｂにとっては逆に締結を強める方向となる。従って、ユーザがアダプタ３０Ｂからレンズ２Ｂを外そうとして、間違えて着脱レバー３６Ｂでなくボディマウント２０の締結環２３を時計回りＣＷに回しても、何も外れない。一方、ユーザがアダプタ３０Ｂにレンズ２Ｂを締結しようとして、間違えて着脱レバー３６Ｂでなくボディマウント２０の締結環２３を反時計回りＣＣＷに回しても、何も外れない。このようにアダプタ３０Ｂやレンズ２Ｂがボディマウント２０から意図せず離脱することが回避され、レンズ装着の安定性、安全性を向上させることが可能となる。
【００９３】
このように本実施の形態では、第１の実施の形態の効果に加えて、アダプタ３０Ｂとレンズ２Ｂとの締結方法にスピゴット方式を採用するようにしたので、レンズ２Ｂをアダプタ３０Ｂに更に堅牢に締結することが可能となる。また、ボディマウント２０もスピゴット方式を採用しているので、アダプタ３０Ｂを使用することにより生じうるガタつきを減らすことが可能となる。
【００９４】
（適用例）
以下、このカメラ１の適用例について説明する。
【００９５】
（第１適用例）
このカメラ１は、例えば図１６に示したように、ボディマウント２０に、シネマ撮影レンズ用のアダプタ３０Ｅを装着し、更に図１７に示したように、このアダプタ３０Ｅに、シネマ撮影用のレンズ２Ｅを装着して使用することが可能である。ボディ１０には、ビューファインダ、レコーダー、バッテリー等（いずれも図示せず）を更に装着してもよい。
【００９６】
アダプタ３０Ｅは、カメラ１のボディマウント２０を、シネマ業界標準であるＰＬマウントに変換するものであり、ＰＬマウント用の接点群としてアダプタ接点群３８を有している。アダプタ接点群３８は、ボディマウント２０を前方正面から見てボディマウント２０の周方向において上方および右方に配置されている。第１接点群４１とアダプタ接点群３８とはアダプタ３０Ｅの内部に通した配線など（図示せず）により接続されている。アダプタ３０Ｅおよびレンズ２Ｅは、ボディ１０ないしボディマウント２０に固有のフランジバックＦＢ２０よりも長いフランジバックを有している。
【００９７】
（第２適用例）
あるいは、このカメラ１は、図１１または図１５に示したように、ボディマウント２０に、第１の実施の形態または第２の実施の形態に係るアダプタ３０Ｂを装着し、更に図１８に示したように、このアダプタ３０Ｂに、レンズ２Ｂを装着して使用することが可能である。レンズ２Ｂは、例えばミラーレスカメラ用の静止画撮影レンズであり、レンズマウント５１ＡのフランジバックＦＢ５１Ａよりも短いフランジバックＦＢ５１Ｂ（図３参照。）を有している。なお、レンズ２Ｂは、一眼レフ用のもの、静止画および動画の両方を撮影可能なものでもよい。このように本開示の一実施の形態のアダプタ３０Ｂを用いることにより、映像業界で使用されてきたレンズ２Ｅのユーザが、写真業界で使用されてきたレンズ２Ｂを気軽に使用可能となる。従って、シネマ撮影用、放送用、コンシューマ向け静止画撮影用などの用途による分類の垣根を低くし、ユーザが容易に新しい体験機会を手に入れて、映像表現の可能性を拡大することが可能となる。
【００９８】
（変形例１〜４）
なお、上記実施の形態では、ボディマウント２０を前方正面から見て、光軸Ａを中心とした周方向において、第１接点群４１は左方、第２接点群４２は下方に設けられている場合について説明した。しかしながら、第１接点群４１および第２接点群４２の配置は、上記実施の形態の例に限られず、以下の変形例１〜４のように様々に変更可能である。なお、第１接点群４１および第２接点群４２の配置の変形例は、以下の変形例１〜４に限られないことはいうまでもない。
【００９９】
（変形例１）
例えば、図１９に示したように、ボディマウント２０を前方正面から見て、光軸Ａを中心とした周方向において、第１接点群４１が上方および右方、第２接点群４２が上方に配置されていることも可能である。
【０１００】
（変形例２）
また、例えば図２０に示したように、ボディマウント２０を前方正面から見て、光軸Ａを中心とした周方向において、第１接点群４１が上方および右方、第２接点群４２が左方に配置されていることも可能である。
【０１０１】
（変形例３）
更に、例えば図２１に示したように、ボディマウント２０を前方正面から見て、光軸Ａを中心とした周方向において、第１接点群４１が上方および右方、第２接点群４２が左斜め下方に配置されていることも可能である。
【０１０２】
（変形例４）
加えて、例えば図２２に示したように、ボディマウント２０を前方正面から見て、光軸Ａを中心とした周方向において、第１接点群４１が左方、第２接点群４２が上方に配置されていることも可能である。
【０１０３】
（変形例５，６）
また、上記実施の形態および変形例１〜４では、２種類以上の接点群４０の例として、第１接点群４１および第２接点群４２の２種類を設ける場合について説明した。しかしながら、以下の変形例５，６のように、３種類または４種類の接点群４０を設けることも可能である。あるいは、５種類以上の接点群４０を設けることも可能である。
【０１０４】
（変形例５）
図２３は、変形例５に係るボディ１０の前面の構成を表したものである。この変形例では、ボディ１０に、２種類以上の接点群４０として、上述した第１接点群４１および第２接点群４２に加えて、第３接点群４３が設けられている。第３接点群４３は、例えば、光軸Ａを中心とした周方向において上方、つまり光学部品１３の上側の長辺に沿って円弧状に配置されている。また、第３接点群４３は、光軸Ａに対して径方向に第２接点群４２と同じ位置に配置されている。なお、第３接点群４３の配置は図２３の例に限られるものではない。
【０１０５】
（変形例６）
図２４は、変形例６に係るボディ１０の前面の構成を表したものである。この変形例では、ボディ１０に、２種類以上の接点群４０として、上述した第１接点群４１，第２接点群４２および第３接点群４３に加えて、第４接点群４４が設けられている。第４接点群４４は、例えば、光軸Ａを中心とした周方向において右方、つまり光学部品１３の右側の短辺に沿って円弧状に配置されている。第４接点群４４は、光軸Ａに対して径方向に第２接点群４２および第３接点群４３と同じ位置に配置されていてもよいし、異なる位置に配置されていてもよい。なお、第４接点群４４の配置は図２４の例に限られるものではない。
【０１０６】
以上、実施の形態を挙げて本開示を説明したが、本開示は上記実施の形態に限定されるものではなく、種々の変形が可能である。例えば、上記実施の形態において説明した各構成要素の形状、寸法および材料などは限定されるものではなく、他の形状、寸法および材料としてもよい。
【０１０７】
また、例えば、上記実施の形態では、カメラ１およびアダプタ３０Ｂの構成を具体的に挙げて説明したが、全ての構成要素を備えていなくてもよく、また、他の構成要素を更に備えていてもよい。
【０１０８】
なお、本明細書に記載された効果はあくまで例示であって限定されるものではなく、また他の効果があってもよい。
【０１０９】
本技術は以下のような構成を取ることも可能である。
（１）
ボディと、
前記ボディに設けられ、異なるレンズマウントをもつ２種類以上のレンズに接続可能な２種類以上の接点群と
を備えたカメラ。
（２）
前記２種類以上の接点群は、光軸に対して径方向の異なる位置に配置されている
前記（１）記載のカメラ。
（３）
前記２種類以上の接点群は、光軸方向の異なる位置に配置されている
前記（１）または（２）記載のカメラ。
（４）
前記２種類以上の接点群は、前記ボディに対する機械的な嵌め合い形状の異なるレンズマウントをもつ前記２種類以上のレンズに接続可能である
前記（１）ないし（３）のいずれかに記載のカメラ。
（５）
前記２種類以上の接点群は、嵌め合い口径の異なるレンズマウントをもつ前記２種類以上のレンズに接続可能である
前記（４）記載のカメラ。
（６）
前記２種類以上の接点群は、フランジバックの異なるレンズマウントをもつ前記２種類以上のレンズに接続可能である
前記（１）ないし（５）のいずれかに記載のカメラ。
（７）
前記２種類以上の接点群のうちの１種類は、ＰＬマウントに適合するレンズマウントをもつレンズに接続可能である
前記（６）記載のカメラ。
（８）
前記２種類以上の接点群のうちの１種類は、フランジバックが５２ｍｍのボディマウントに適合するレンズマウントをもつレンズに接続可能である
前記（６）または（７）記載のカメラ。
（９）
前記２種類以上の接点群のうちの２種類は、フランジバックの異なるレンズマウントをもつ２種類のレンズに接続可能であり、前記２種類のレンズにおけるフランジバックの差は１２ｍｍ以下である
前記（６）ないし（８）のいずれかに記載のカメラ。
（１０）
前記２種類以上の接点群は、光軸を中心として周方向に回転した位置に配置されている
前記（１）ないし（９）のいずれか１項に記載のカメラ。
（１１）
前記２種類以上の接点群は、第１接点群と、第２接点群とを含み、
前記第１接点群は、光軸を中心とした周方向において上方および右方に配置されており、前記第２接点群は、光軸を中心とした周方向において上方に配置されている
前記（１０）記載のカメラ。
（１２）
前記２種類以上の接点群は、第１接点群と、第２接点群とを含み、
前記第１接点群は、光軸を中心とした周方向において上方および右方に配置されており、前記第２接点群は、光軸を中心とした周方向において下方に配置されている
前記（１０）記載のカメラ。
（１３）
前記２種類以上の接点群は、第１接点群と、第２接点群とを含み、
前記第１接点群は、光軸を中心とした周方向において左方に配置されており、前記第２接点群は、光軸を中心とした周方向において下方に配置されている
前記（１０）記載のカメラ。
（１４）
前記２種類以上の接点群は、第１接点群と、第２接点群とを含み、
前記第１接点群は、光軸を中心とした周方向において左方に配置されており、前記第２接点群は、光軸を中心とした周方向において上方に配置されている
前記（１０）記載のカメラ。
（１５）
前記ボディは、一面にボディマウントを有し、
前記２種類以上の接点群は、前記ボディマウントと同じ面に設けられている
前記（１）ないし（１４）のいずれかに記載のカメラ。
（１６）
前記２種類以上の接点群は、前記ボディ内部で異なるグランド、異なる電源および異なる配線に接続されている
前記（１）ないし（１５）のいずれかに記載のカメラ。
（１７）
前記２種類以上の接点群は、前記ボディ内部でグランド、電源および配線の少なくとも一つを共有している
前記（１）ないし（１５）のいずれかに記載のカメラ。
（１８）
ボディと、
前記ボディに設けられ、異なるレンズマウントをもつ２種類以上のレンズに各々接続可能な２種類以上の接点群と
を備えたカメラに装着可能である
アダプタ。
（１９）
内周側に開口を有し、
前記カメラに装着された状態で、前記２種類以上の接点群のうちの少なくとも１種類を前記開口から露出させる
前記（１８）記載のアダプタ。
【０１１０】
本出願は、日本国特許庁において２０１４年１月３０日に出願された日本特許出願番号２０１４−１５４５０号を基礎として優先権を主張するものであり、この出願のすべての内容を参照によって本出願に援用する。
【０１１１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
0006459984.tif 000002
【図２】
0006459984.tif 000003
【図３】
0006459984.tif 000004
【図４】
0006459984.tif 000005
【図５】
0006459984.tif 000006
【図６】
0006459984.tif 000007
【図７】
0006459984.tif 000008
【図８】
0006459984.tif 000009
【図９】
0006459984.tif 000010
【図１０】
0006459984.tif 000011
【図１１】
0006459984.tif 000012
【図１２】
0006459984.tif 000013
【図１３】
0006459984.tif 000014
【図１４】
0006459984.tif 000015
【図１５】
0006459984.tif 000016
【図１６】
0006459984.tif 000017
【図１７】
0006459984.tif 000018
【図１８】
0006459984.tif 000019
【図１９】
0006459984.tif 000020
【図２０】
0006459984.tif 000021
【図２１】
0006459984.tif 000022
【図２２】
0006459984.tif 000023
【図２３】
0006459984.tif 000024
【図２４】
0006459984.tif 000025